(57)【特許請求の範囲】
【請求項１】
メッセージデータを受信する受信手段、この受信手段により受信されたメッセージデータを受信した順に記憶する第１の記憶手段、及びこの第１の記憶手段に記憶されているメッセージデータを表示する表示手段を備えたデータ受信装置において、
データの送信者を特定する情報と共に、該送信者から受信したメッセージの総数を示すメッセージカウント値、未確認メッセージカウント値、プロテクトメッセージカウント値を示す複数の項目からなるメッセージデータ管理情報を記憶する第２の記憶手段と、
上記受信手段がメッセージデータを受信するごとに、受信したメッセージデータから当該データの送信者を特定する情報を検出する検出手段と、
この検出手段により上記受信したメッセージデータの送信者を特定する情報を検出すると、上記第２の記憶手段に記憶されているメッセージデータ管理情報の項目のうち、該データ送信者を特定する情報に対応する受信したメッセージの総数を示すメッセージカウン値を更新する第１の更新手段と、
上記第１の記憶手段からメッセ−ジデータが読み出されると、上記第２の記憶手段に記憶されているメッセージデータ管理情報の項目の値のうち、読み出されたメッセージの送信者に対応する未確認メッセージカウント値を更新する第２の更新手段と、
上記第２の記憶手段に記憶された送信者情報とメッセージ管理情報を上記表示手段へ出力するためにメッセージ管理情報の項目を任意に出力指示する指示手段と、
この指示手段により出力指示されたメッセージ管理情報の項目の値を優先順位として値が多い順序で、上記第２の記憶手段からメッセージ送信者を特定する情報と、対応する上記第１と第２の更新手段によって更新されたメッセージデータ管理情報の各項目の値を読出して上記表示手段に出力する出力制御手段と、
を具備したことを特徴とするデータ受信装置。
【請求項２】
上記出力制御手段は、出力指示されたメッセージ管理情報の項目の値に従って、上記第２の記憶手段からメッセージ送信者を特定する情報、メッセージデータ管理情報に含まれる各項目の値情報を読み出す毎に、読み出した情報を対応付けた表示出力データを生成することを特徴とする請求項１記載のデ−タ受信装置。
【請求項３】
上記第１の更新手段は、 上記検出手段によってメッセージ送信者を特定する情報が検出される毎に、上記第２の記憶手段に記憶されている該メッセージ送信者を特定する情報に対応した受信したメッセージの総数を示す項目の値をカウントアップする第１のカウント手段を更に備え、
上記出力制御手段は、上記第１の指示手段によって受信メッセ−ジ総数を示す項目が指定された際には、メッセージ送信者を特定する情報と、対応する上記第２の記憶手段に記憶されたメッセージ管理情報の各項目の値を、上記受信メッセージ総数を示すカウント数の値が多い順に読み出して一覧表示させるように上記表示手段に出力することを特徴とする請求項１記載のデータ受信装置。
【請求項４】
上記第２の更新手段は、 受信されて上記第１の記憶手段に記憶されたメッセージデータが上記表示手段に出力表示された後、使用者によってメッセ−ジが確認されたか否かを判別する判別手段と、
この判別手段により受信メッセージデータが確認されなかったと判別された際は、上記第２の記憶手段に記憶されているデータ送信者を特定する情報に対応した項目の値のうち、未確認メッセージカウント値をカウントアップする第２のカウント手段とを更に備え、
上記出力制御手段は、上記第１の指示手段によって未確認メッセージ数を示す項目が指定された際には、メッセージ送信者を特定する情報と、対応する上記第２の記憶手段に記憶されているメッセージ管理情報の各項目の値を、上記未確認メッセージ数を示すカウント数の値が多い順に読み出して一覧表示させるように上記表示手段に出力することを特徴とする請求項１記載のデータ受信装置。
【発明の詳細な説明】
【０００１】
【発明の属する技術分野】
本発明は、データ通信システムに適用するデータ受信装置に関する。
【０００２】
【従来の技術】
近時、ページング受信機の高機能化に伴い、多数のキーと大型の表示図面とを有し、漢字を含んだ長文メッセージを作成するメッセージ作成機能やＤＴＭＦ（Ｄｕａｌ  Ｔｏｎｅ  Ｍｕｌｔｉ−Ｆｒｅｑｕｅｎｃｙ）信号を出力するスピーカを用いて作成したメッセージを発信するオートダイヤル機能を実現した電子手帳型のページング受信機が広く一般に普及している。
【０００３】
この種の電子手帳型ページング受信機にあっては、ページング受信機の機能とは別に、電子手帳としての機能、すなわち名前や住所、電話番号やグループ名簿等の管理を行なうアドレス帳機能、スケジュール管理を行なうスケジュール機能、カレンダ機能、時計機能、電卓機能などを有している。
【０００４】
しかるに、上記電子手帳型のページング受信機では、メモリに記憶しているすでに受信したメッセージデータを表示させるようにキー操作した場合、まず最新のメッセージデータが表示され、以後データ送りを指示するキー操作を行なう毎に１つずつ古いメッセージデータが順に表示されるようになる。
【０００５】
また、アドレス帳機能で登録されている電話番号が受信メッセージデータ中に存在する場合には、その電話番号に対応した名前をアドレス帳機能で使用しているメモリエリアから検索し、受信メッセージデータと共に表示させる機能を有するものはあった。
【０００６】
【発明が解決しようとする課題】
上述した如く受信したメッセージデータを表示させる場合、着信のあった日時に応じて新しいものから１つずつメッセージデータを順に表示するため、特定の相手から送られてきたメッセージデータをサーチするのに手間と時間とを要することがある。
【０００７】
また、上記受信メッセージデータ中の電話番号に対応した名前を受信メッセージデータと共に表示する機能を有するものにあっても、表示される順序は上記と同様に着信日時に応じたものであって、名前が合わせて表示されるために発信者の識別は容易となるものの、やはりサーチに手間と時間とを要する点に変わりはない。
【０００８】
本発明は上記のような実情に鑑みてなされたもので、その目的とするところは、記憶している複数の受信したメッセージデータの中から任意のものを効率的にサーチすることが可能なデータ受信装置を提供することにある。
【０００９】
【課題を解決するための手段】
本発明の態様であるデータ受信装置は、メッセージデータを受信する受信手段、この受信手段により受信されたメッセージデータを受信した順に記憶する第１の記憶手段、及びこの第１の記憶手段に記憶されているメッセージデータを表示する表示手段を備えたデータ受信装置において、データの送信者を特定する情報と共に、該送信者から受信したメッセージの総数を示すメッセージカウント値、未確認メッセージカウント値、プロテクトメッセージカウント値を示す複数の項目からなるメッセージデータ管理情報を記憶する第２の記憶手段と、上記受信手段がメッセージデータを受信するごとに、受信したメッセージデータから当該データの送信者を特定する情報を検出する検出手段と、この検出手段により上記受信したメッセージデータの送信者を特定する情報を検出すると、上記第２の記憶手段に記憶されているメッセージデータ管理情報の項目のうち、該データ送信者を特定する情報に対応する受信したメッセージの総数を示すメッセージカウン値を更新する第１の更新手段と、上記第１の記憶手段からメッセ−ジデータが読み出されると、上記第２の記憶手段に記憶されているメッセージデータ管理情報の項目の値のうち、読み出されたメッセージの送信者に対応する未確認メッセージカウント値を更新する第２の更新手段と、上記第２の記憶手段に記憶された送信者情報とメッセージ管理情報を上記表示手段へ出力するためにメッセージ管理情報の項目を任意に出力指示する指示手段と、この指示手段により出力指示されたメッセージ管理情報の項目の値を優先順位として値が多い順序で、上記第２の記憶手段からメッセージ送信者を特定する情報と、対応する上記第１と第２の更新手段によって更新されたメッセージデータ管理情報の各項目の値を読出して上記表示手段に出力する出力制御手段とを具備するように構成することによって前述した課題を解決する。
【００１０】
この構成によれば、受信メッセージの送信者から受信したメッセージの総数を示すメッセージカウント値、未確認メッセージカウント値、プロテクトメッセージカウント値を示す複数の項目からなるメッセージ管理情報をメッセージ送信者ごとに管理して、検索項目として選択した項目のすべての値を参照して、その値が多い順に送信者とそのメッセージ管理情報が読み出されて表示されるので、異なる項目が選択されることによって、同じ送信者からのメッセージ受信状況の表示順位が変更されて表示される。
【００１１】
なお、前述した本発明によるデータ受信装置において、上記出力制御手段は、出力指示されたメッセージ管理情報の項目の値に従って、上記第２の記憶手段からメッセージ送信者を特定する情報、メッセージデータ管理情報に含まれる各項目の値情報を読み出す毎に、読み出した情報を対応付けた表示出力データを生成することができる。
この構成により、メッセージ送信者ごとのメッセージ管理状況の視認性をより高めることが可能となる。
【００１２】
また、前述した本発明によるデータ受信装置において、上記第１の更新手段は、 上記検出手段によってメッセージ送信者を特定する情報が検出される毎に、上記第２の記憶手段に記憶されている該メッセージ送信者を特定する情報に対応した受信したメッセージの総数を示す項目の値をメッセージデータの受信回数としてカウントアップする第１のカウント手段を更に備え、
上記出力制御手段は、上記第１の指示手段によって受信メッセージ総数を示す項目が指定された際には、メッセージ送信者を特定する情報と、対応する上記第２の記憶手段に記憶されたメッセージ管理情報の各項目の値を、上記メッセージ総数を示すカウント数の値が多い順に読み出して一覧表示させるように上記表示手段に出力することを可能にする。
【００１３】
この構成によれば、表示出力として受信メッセージ総数の項目を指定すると、受信メッセージ総数が多く、ユーザが内容を確認する頻度が高いと思われるメッセージ送信者順にその送信者の特定情報と共に、受信メッセージ総数、未確認メッセ−ジカウント数、プロテクトメッセージ数からなるメッセージ管理情報の全ての項目の値を一覧表示することを可能にする。
【００１４】
また、前述した本発明によるデータ受信装置において、上記第２の更新手段は、 受信されて上記第１の記憶手段に記憶されたメッセージデータが上記表示手段に出力表示された後、使用者によってメッセ−ジが確認されたか否かを判別する判別手段と、この判別手段により受信メッセージデータが確認されなかったと判別された際は、上記第２の記憶手段に記憶されているデータ送信者を特定する情報に対応した項目の値のうち、未確認メッセージカウント値をカウントアップする第２のカウント手段とを更に備え、上記出力制御手段は、上記第１の指示手段によって未確認メッセージ数を示す項目が指定された際には、メッセージ送信者を特定する情報と、対応する上記第２の記憶手段に記憶されているメッセージ管理情報の各項目の値を、上記未確認メッセージ数を示すカウント数の値が多い順に読み出して一覧表示させるように上記表示手段に出力することを可能にする。
【００１５】
この構成によれば、表示出力として未確認メッセージ数を示す項目を指定すると、未確認メッセージの数が多い送信者順に、その送信者の特定情報と共に未確認メッセージ数を含むメッセージ管理情報の全ての項目の値を一覧表示することができる。
【００１９】
【発明の実施の形態】
以下本発明をＲＣＲ  ＳＴＤ−４３規格で採用されている電子手帳型のページング受信機に適用した場合の実施の一形態について図面を参照して説明する。
図１はその回路構成を示すもので、このページング受信機１は、アンテナ１１、受信部１２、デコーダ部１３、ＣＰＵ１４、デインタリーブ回路１５、バッファメモリ１６、ＢＣＨデコーダ１７、表示部１８、この表示部１８を駆動表示する表示ドライバ１９、キー入力部２０、ＩＤ−ＲＯＭ２１、ＲＡＭ２２、ＲＯＭ２３、報知ドライバ２４、ＬＥＤ２５、及びスピーカ２６を備え、このうちデコーダ部１３、ＣＰＵ１４、デインタリーブ回路１５、バッファメモリ１６、ＢＣＨデコーダ１７、表示ドライバ１９、キー入力部２０、ＩＤ−ＲＯＭ２１、ＲＡＭ２２、ＲＯＭ２３、及び報知ドライバ２４はバスＢで接続されている。
【００２０】
アンテナ１１は、図示しない送信基地局から無線で送信される１フレームのデータを受信して受信部１２に出力する。受信部１２はデコーダ部１３に接続され、このデコーダ部１３からの制御信号に基づいて駆動されて、受信したデータの復調及び検波を行なう。この受信部１２は、データ中の同期部を取込むことによって２値変調で受信した場合と４値変調で受信した場合とに分けて出力する。
【００２１】
デコーダ部１３は、受信部１２より入力した２値もしくは４値のデジタルデータを８ビットのパラレルデータに並び換え、逐次バスＢに出力し、ＣＰＵ１４により受信したアドレスデータと、ＩＤ−ＲＯＭ２１に予め登録されているアドレスデータとの照合の結果、一致検出信号を入力した際は受信動作を受信部１２に対して継続させるように制御する。
【００２２】
ＣＰＵ１４は、タイマ１４１を内蔵し、ページング受信機１全体の動作をＲＯＭ２３に格納されている制御プログラムに従って制御し、また後述するデータの表示、格納動作を制御する。
【００２３】
デインタリーブ回路１５は、デコーダ部１３から出力されたパラレルデータを受信された変調方式及び伝送速度に併せて並び換えて出力（インタリーブ回復）し、誤り訂正処理を行なう回路である。
【００２４】
バッファメモリ１６は、読込んだ１フレームのデータを一時的に保持するものであり、ＢＣＨデコーダ１７はバッファメモリ１６に保持されたデータのＢＣＨ符号を復号化して誤り訂正処理を行なう回路である。
【００２５】
表示ドライバ１９は、表示部１８を表示駆動して受信したメッセージや後述するＲＡＭ２２から読出したメッセージ等を表示させる。
キー入力部２０は、電源キーやモード切換キー、リセットキーの他に、かなや漢字、英数字を入力するための各種文字入力キーからなるキーボードを有し、本実施の形態においては、受信したメッセージや後述するＴＥＬバンクメモリエリアＴＢに記憶された名前、電話番号等の表示出力等を指示する。
【００２６】
ＩＤ−ＲＯＭ２１は、このページング受信機１が受信すべきフレームＮｏ．、アドレスデータ（コードワード）３２ビット、ベクトルタイプデータ３ビット、設定内容、表示制御内容、及び呼出番号等を対応付けて記憶している。
【００２７】
ＲＡＭ２２は、図２に示すように名前、電話番号を含むデータ送信者に係わる情報を複数記憶するＴＥＬバンクメモリエリアＴＢと受信したメッセージデータを記憶する受信メッセージメモリエリアＭＭとを有するもので、その記憶内容はキー入力部２０の電源キーによる電源の投入状態等に関係なく維持される。
【００２８】
図３はＴＥＬバンクメモリエリアＴＢの記憶内容を例示するもので、図示する如く格納管理アドレス、データの送信者を特定する情報となるＴＥＬバンクＮｏ．データ、氏名、電話番号、受信したメッセージの総数を示すメッセージカウント値、受信したメッセージ中で内容を確認していないメッセージの数を示す未確認メッセージカウント値、受信したメッセージ中で内容の消去を防止したメッセージの数を示すプロテクトメッセージカウント値、及び受信メッセージメモリエリアＭＭにおける着信メッセージの格納アドレスで直近のもの最大１０件分を一組として複数組記憶するエリアである。
【００２９】
また、図４は受信メッセージメモリエリアＭＭの記憶内容を例示するもので、図示する如く、格納アドレス、着信メッセージ内容、ＴＥＬバンクＮｏ．データ、着信日時、このメッセージデータの消去防止の設定の有無を示すプロテクトフラグ、このメッセージデータの確認済みの有無を示す未確認フラグを一組のメッセージデータとして複数組のメッセージデータを記憶するエリアである。
【００３０】
ＲＯＭ２３は、ＣＰＵ１４を動作させるための各種プログラムや各種データを格納する。
報知ドライバ２４は、着信を点灯または点滅によって報知するＬＥＤ２５、鳴音で報知するスピーカ２６をＣＰＵ１４の制御の下に駆動する。
【００３１】
次に上記実施の形態の動作について説明する。
図５及び図６はメッセージの着信があってからそれを格納し、必要に応じて表示するまでの一連の処理内容を示すものであり、その当初には、受信する電波に同期して間欠受信状態を設定した上で（ステップＡ１）、ＩＤ−ＲＯＭ２１に格納されている自己フレームＮｏ．の１フレーム分のデータを選択的に検出できるまで待機する（ステップＡ２）。
【００３２】
そして、１フレーム分のデータを選択的に検出したと判断した時点で、その１フレーム分のデータをデインタリーブ回路１５を介してインタリーブ回復した後にバッファメモリ１６に取込み、着信に対する処理を開始する（ステップＡ３）。
【００３３】
次いで、バッファメモリ１６に取込んだデータ中のアドレスフィールドに含まれているアドレスデータとＩＤ−ＲＯＭ２１に予め登録されているアドレスデータとの照合の結果、両アドレスデータが一致したか否か判断する（ステップＡ４）。
【００３４】
ここで両アドレスデータが一致していないと判断した場合には、当該データは自機宛てのものではないので、バッファメモリ１６に取込んだ１フレーム分のデータをすべて破棄した上で（ステップＡ２１）、一旦この処理を終了し、再び次の受信を待機する。
【００３５】
また、上記ステップＡ４で受信したアドレスデータが自機に予め登録されているアドレスデータと一致したと判断すると、そのデータは自機宛てのものであることとなるので、バッファメモリ１６に取込んだ１フレーム分のデータ中のメッセージフィールドにおけるメッセージデータをＲＡＭ２２の受信メッセージメモリエリアＭＭに格納した後（ステップＡ５）、この着信したメッセージデータ中からデータの送信者を特定する情報であるＴＥＬバンクＮｏ．データを検出することができたか否か判断する（ステップＡ６）。
【００３６】
ここで、ＴＥＬバンクＮｏ．データを検出することができたと判断すると、その検出したＴＥＬバンクＮｏ．データを有するデータ送信者に係わる情報をＲＡＭ２２のＴＥＬバンクメモリエリアＴＢからサーチし、そのメッセージカウント値を「＋１」更新設定すると共に、上記ステップＡ５で受信メッセージメモリエリアＭＭに格納した際の格納アドレスを追加設定する（ステップＡ７）。
【００３７】
その後、その検出したＴＥＬバンクＮｏ．データに基づいてサーチされた氏名、電話番号、及びその他のデータを読出した上で（ステップＡ８）、ＣＰＵ１４内のタイマ１４１による所定時間の計時を開始させ（ステップＡ９）、次いで報知ドライバ２４によりＬＥＤ２５及びスピーカ２６で着信のあったことを報知すると共に、着信メッセージ内容とＴＥＬバンクメモリエリアＴＢから読出した氏名、電話番号、及びその他のデータを表示部１８で表示出力させる（ステップＡ１０）。
【００３８】
こうして、着信の報知とメッセージ及びデータ送信者に係わる情報の表示とを行ないながら、このページング受信機１のユーザにより着信を確認して報知を停止させるべくキー入力部２０のリセットキーが操作されたか否かを検出し（ステップＡ１１）、ここでリセットキーの操作が検出されなければＣＰＵ１４内のタイマ１４１の計時値が所定時間をオーバーしたか否かを判断する（ステップＡ１３）、という処理を繰返し実行する。
【００３９】
ステップＡ１１でキー入力部２０のリセットキーが操作されたと判断されないままにステップＡ１３でタイマ１４１の計時値が所定時間をオーバーしたと判断した場合、このページング受信機１のユーザが着信のあったメッセージを確認しなかったものと判断し、報知ドライバ２４によるＬＥＤ２５及びスピーカ２６での着信の報知を停止させると共に、受信メッセージメモリエリアＭＭの該当するメッセージデータの未確認フラグをセットし、同時にＴＥＬバンクメモリエリアＴＢの該当する個人データの未確認メッセージカウント値を「＋１」更新設定して（ステップＡ１４）、以上でこの一連の処理を終了して次の着信を待機する。
【００４０】
また、上記ステップＡ１３でタイマ１４１の計時値が所定時間をオーバーしたと判断される以前にステップＡ１１でキー入力部２０のリセットキーが操作されたと判断した場合には、このページング受信機１のユーザが着信のあったメッセージを確認したものと判断し、報知ドライバ２４によるＬＥＤ２５及びスピーカ２６での着信の報知を停止させ（ステップＡ１２）、以上でこの一連の処理を終了して次の着信を待機する。
【００４１】
また、上記ステップＡ６で着信したメッセージデータ中からデータの送信者を特定する情報であるＴＥＬバンクＮｏ．データを検出することができなかったと判断した場合には、次いでＣＰＵ１４内のタイマ１４１による所定時間の計時を開始させた上で（ステップＡ１５）、報知ドライバ２４によりＬＥＤ２５及びスピーカ２６で着信のあったことを報知すると同時に、ＲＡＭ２２の受信メッセージメモリエリアＭＭに格納した受信したメッセージデータのみをそのまま表示部１８で表示出力させる（ステップＡ１６）。
【００４２】
その後、この着信の報知と受信したメッセージのみの表示とを行ないながら、着信を確認して報知を停止させるべくキー入力部２０のリセットキーが操作されたか否かを検出し（ステップＡ１７）、ここでリセットキーの操作が検出されなければＣＰＵ１４内のタイマ１４１の計時値が所定時間をオーバーしたか否かを判断する（ステップＡ１９）、という処理を繰返し実行する。
【００４３】
ステップＡ１７でキー入力部２０のリセットキーが操作されたと判断されないままにステップＡ１９でタイマ１４１の計時値が所定時間をオーバーしたと判断した場合、このページング受信機１のユーザが着信のあったメッセージを確認しなかったものと判断し、報知ドライバ２４によるＬＥＤ２５及びスピーカ２６での着信の報知を停止させると共に、受信メッセージメモリエリアＭＭの今回の着信で格納したメッセージデータの未確認フラグをセットし（ステップＡ２０）、以上でこの一連の処理を終了して次の着信を待機する。
【００４４】
また、上記ステップＡ１９でタイマ１４１の計時値が所定時間をオーバーしたと判断される以前にステップＡ１７でキー入力部２０のリセットキーが操作されたと判断した場合には、このページング受信機１のユーザが着信のあったメッセージを確認したものと判断し、報知ドライバ２４によるＬＥＤ２５及びスピーカ２６での着信の報知を停止させて（ステップＡ１８）、以上でこの一連の処理を終了して次の着信を待機する。
【００４５】
このように上記図５及び図６で示した処理を繰返し実行することで、ＲＡＭ２２のＴＥＬバンクメモリエリアＴＢの記憶内容が図３に示したようになり、受信メッセージメモリエリアＭＭの記憶内容が図４に示したようになったものとして、次に受信メッセージメモリエリアＭＭに記憶しているメッセージデータの中から任意のものをサーチする場合の動作について説明する。
【００４６】
図７及び図８はメッセージの着信を待機している状態からキー入力部２０のモード切換キーの操作によりメッセージ検索モードを指定し、検索項目を指定した上で任意のメッセージデータをサーチして表示させる場合の処理内容を示すもので、その当初には、受信電波に同期した間欠受信状態にあって（ステップＢ１）、キー入力部２０のモード切換キーの操作によりメッセージ検索モードの指定が検出されるのを待機する（ステップＢ２）。
【００４７】
そして、メッセージ検索モードの指定が検出されたと判断すると、検索項目を選択させるためのメニュー表示、すなわちここでは「メッセージ総数」「未確認メッセージ数」「プロテクトメッセージ数」及び「キーワード指定サーチ」を一覧しながら（ステップＢ３）、これら各項目のいずれかが選択されて指定されるのを順次検出する（ステップＢ４，Ｂ６，Ｂ８，Ｂ１０）、という動作を繰返し実行して、検索項目が選択されるのを待機する。
【００４８】
しかして、検索項目として「メッセージ総数」が選択されて表示出力の指示を検出した場合、ステップＢ４でこれを判断し、上記検索項目のメニュー表示に代えて、ＲＡＭ２２のＴＥＬバンクメモリエリアＴＢからすべてのメッセージカウント値を参照し、その値が大きいものから氏名、メッセージカウント値、未確認メッセージカウント値、及びプロテクトメッセージカウント値を読出し、表示出力データを作成する（ステップＢ５）。
【００４９】
また、上記検索項目が選択されるのを待機している状態から、検索項目として「未確認メッセージ数」が選択されて表示出力の指示を検出した場合、ステップＢ６でこれを判断し、上記検索項目のメニュー表示に代えて、ＲＡＭ２２のＴＥＬバンクメモリエリアＴＢの未確認メッセージカウント値の欄を参照し、その値が大きいものから氏名、メッセージカウント値、未確認メッセージカウント値、及びプロテクトメッセージカウント値を読出し、表示出力データを作成する（ステップＢ７）。
【００５０】
さらに、上記検索項目が選択されるのを待機している状態から、検索項目として「プロテクトメッセージ数」が選択されて表示出力の指示を検出した場合、ステップＢ６でこれを判断し、上記検索項目のメニュー表示に代えて、ＲＡＭ２２のＴＥＬバンクメモリエリアＴＢからすべてのプロテクトメッセージカウント値の欄を参照し、その値が大きいものから氏名、メッセージカウント値、未確認メッセージカウント値、及びプロテクトメッセージカウント値を読出し、表示出力データを作成する（ステップＢ９）。
【００５１】
また、上記検索項目が選択されるのを待機している状態から、検索項目として「キーワードサーチ」が選択されて表示出力の指示を検出した場合、ステップＢ１０でこれを判断し、次いでキーワードの入力を促すメッセージ表示を行ない、（ステップＢ１１）、実際にキー入力部２０の文字入力キーの操作によりキーワードが入力されて、さらに入力の終了と検索の実行を指示するためのキー操作がなされるのを待機する（ステップＢ１２）。
【００５２】
そして、キーワードの入力終了とを検索実行のためのキー操作を検出したと判断すると、直ちに入力されたキーワードに基づいて受信メッセージメモリエリアＭＭの各メッセージデータの着信メッセージ内容を検索し、入力されたキーワードと同様の文字列を有するものをすべて抽出する（ステップＢ１３）。
【００５３】
その後、抽出したメッセージデータ中の各ＴＥＬバンクＮｏ．データを用いてＴＥＬバンクメモリエリアＴＢを検索し、該当する個人データの氏名を読出して、該当するメッセージデータの着信日時と共にそれぞれ読出して表示出力データを作成する（ステップＢ１４）。
【００５４】
しかるに、上記ステップＢ５，Ｂ７，Ｂ９またはＢ１４で作成した表示出力データにより、検索結果に基づいた氏名のリスト表示を実行する（ステップＢ１５）。
【００５５】
図９は上記ステップＢ５で検索項目として選択した「メッセージ総数」に基づいて作成した表示出力データを表示部１８にて表示出力している状態を例示するもので、画面中の文字「Ｔ」はメッセージ総数、「ＵＲ」は未確認メッセージ数、「Ｐ」はプロテクトメッセージ数を示す。図示する如く、メッセージ総数「Ｔ」の値から、メッセージ総数を優先順位として氏名が順に表示出力されていることがわかる。ここでは氏名「×川○子」さんの位置にある右向きの黒い三角形で示すカーソルＣＳは、表示出力されている氏名を選択するためのものであり、画面下右端にある下向きの黒い三角形で示すスクロールマークＳＲは、この画面では表示出力されていない、メッセージ総数が下位の氏名を画面をスクロールして表示出力させるためのものである。
【００５６】
また、図１０は上記ステップＢ７で検索項目として選択した「未確認メッセージ数」に基づいて作成した表示出力データを表示部１８にて表示出力している状態を例示するもので、未確認メッセージ数「ＵＲ」の値から、未確認メッセージ数を優先順位として氏名が順に表示出力されていることがわかる。ここでも、表示出力されている氏名を選択するためのカーソルＣＳ、及び画面をスクロールして表示出力させるためのスクロールマークＳＲを表示している。
【００５７】
さらに、図１１は上記ステップＢ９で検索項目として選択した「プロテクトメッセージ数」に基づいて作成した表示出力データを表示部１８にて表示出力している状態を例示するもので、プロテクトメッセージ数「Ｐ」の値から、プロテクトメッセージ数を優先順位として氏名が順に表示出力されていることがわかる。ここでも、表示されている氏名を選択するためのカーソルＣＳ、及び画面をスクロールして表示させるためのスクロールマークＳＲを表示出力している。
【００５８】
また、図１２は上記ステップＢ１４で検索項目として「キーワードサーチ」を選択した上でキーワードＫＷとして入力した「○×駅」に基づいてサーチした結果を表示出力データとして作成して表示部１８にて表示出力している状態を例示するもので、ここでは着信日時の古いものから氏名を順に表示出力されている。
【００５９】
画面中、カーソルＣＳに対応する位置で、氏名に代えて表示されている「新規」とは、そのメッセージデータにＴＥＬバンクＮｏ．データが含まれておらず、したがってＴＥＬバンクメモリエリアＴＢから該当する氏名を読出すことができなかったことを示す。
【００６０】
また、氏名「△川□夫」さんの着信日時の末尾に付加されている文字Ｐは、そのメッセージデータのプロテクトフラグがセットされていることを示す。
しかるに、上記図９乃至図１２に示したような検索結果に基づいた氏名のリスト表示を行なっている状態で、表示出力されている氏名のいずれかを指示するキー操作が検出されるのを待機する（ステップＢ１６）。
【００６１】
そして、氏名の指示を検出したと判断すると、メッセージの発信者を確認するためにその指示された氏名に該当する格納管理アドレスの個人データをＴＥＬバンクメモリエリアＴＢから読出して（ステップＢ１７）、表示部１８で表示出力する（ステップＢ１８）。
【００６２】
この表示出力を行なっている状態で、表示を切換えるための指示が検出されるのを待機する（ステップＢ１９）。これはすなわち、その時点で表示されている氏名に対応するメッセージデータの表示を行なうことを確認するためのもので、表示を切換えるための指示が検出されたと判断した時点で、あらためて検索項目に応じた表示フォーマットにしたがって受信メッセージメモリエリアＭＭから着信メッセージ内容を順次読出して表示部１８で表示出力させる（ステップＢ２０）。
【００６３】
図１３は上記図９で示した「メッセージ総数」のリスト表示状態で氏名「×川○子」さんを指示し、受信メッセージメモリエリアＭＭからメッセージデータを読出して表示出力させた画面を例示するものである。この場合、ＴＥＬバンクメモリエリアＴＢの該当する氏名の着信メッセージの格納アドレスから最新のものを選択してこの格納アドレスにより受信メッセージメモリエリアＭＭを検索してメッセージデータを表示させるもので、画面中に示す如く着信日時と着信メッセージ内容を、氏名及び電話番号と共に表示出力している。
【００６４】
また、この氏名に対応するメッセージデータが他にもまだ受信メッセージメモリエリアＭＭに格納されていることをスクロールマークＳＲにより表示しており、所定のキー操作で新らしいものから順次着信日時と着信メッセージ内容とを変えて表示出力する。
【００６５】
なお、上記図１０で示した「未確認メッセージ数」あるいは上記図１１で示した「プロテクトメッセージ数」のリスト表示状態から特定の氏名を指示してメッセージデータを表示出力させる場合もほぼ上記図１３と同様の表示フォーマットとなるもので、ここではその具体的な表示画面の例示は省略する。
【００６６】
さらに、上記図１２で示した「キーワードサーチ」のリスト表示状態から特定の氏名を指示してメッセージデータを表示出力させる場合は上記図１３の表示内容に加えて、キー入力したキーワードも併せて表示出力するものとする。
【００６７】
しかるに、このような表示出力を行ないながら、同時にこのメッセージ検索モードを解除するためのキー操作がなされるのを待機するもので（ステップＢ２１）、該キー操作がなされたと判断した時点で、元の間欠受信状態に復帰し（ステップＢ２２）、以上でこの処理を一旦終了する。
【００６８】
なお、上記図９乃至図１２に示したような検索結果に基づいた氏名のリスト表示に代えて、図１４に示すように特定の発信者からの受信履歴を１画面で一人分ずつ表示するようにしてもよい。
【００６９】
この場合、表示部１８の画面では、その時点での受信感度と現在日時、データ送信者の氏名と電話番号、メッセージ総数（Ｔ）、未確認メッセージ数（ＵＲ）、プロテクトメッセージ数（Ｐ）を表示すると共に、受信履歴として受信した受信メッセージメモリエリアＭＭに格納している当該データ送信者に関する受信メッセージデータの着信日時をここでは古い順に未確認フラグがセットされているものは「ＵＲ」の文字、プロテクトフラグがセットされているものは「Ｐ」の文字と共に表示しており、さらにスクロールマークＳＲを表示出力することで、表示出力しきれない着信日時のメッセージデータが他にもあることを表示している。
【００７０】
以上に示した如く、メッセージ受信回数が多く、したがってユーザが内容を確認する頻度も高いと思われる人からのメッセージ、あるいは内容が未確認のメッセージ数が多く、したがってユーザにとって内容を確認する必要性が高いと思われる人からのメッセージ、あるいは内容の消去を防止したメッセージ数が多く、したがってユーザにとって重要と思われる人からのメッセージなど、その内容の性質によって異なるメッセージをいずれも簡単な操作で優先的にサーチして読出すことができる。
【００７１】
また、キー入力したキーワードを含んだメッセージをサーチし、そのサーチの結果としてそのメッセージを送信した人の名前を表示出力することにより、所望する内容のメッセージを簡単な操作で読出すことができる。
なお、上記実施の形態にあっては、ＲＣＲＳＴＤ−４３規格で採用されている電子手帳型のページング受信機に適用した場合について例示したが、本発明はこれに限定するものではなく、電子手帳のアドレス帳機能のように複数の個人データを記憶すると共に、自己宛てのメッセージデータを着信することができるようなデータ受信装置であれば、他にも適用可能であることは勿論である。
また、上記実施の形態にあっては、ページング受信機等のデータ受信装置に適用した場合について例示したが、本発明はこれに限定するものではなく、電子メールシステム等に適用されるメールオーサリングツールにも適用可能であることは勿論である。
その他、本発明はその要旨を逸脱しない範囲内で種々変形して実施することが可能であるものとする。
【００７２】
【発明の効果】
以上詳細に説明したように、本発明は、同じ送信者から受信したメッセージの総数、未読メッセージ数、プロテクトメッセージ数を送信者ごとに管理し、メッセージの受信あるいは受信メッセージの確認に応じてそれら管理情報の更新を行い、使用者によってメッセージ管理情報の項目が指定されると、指定された項目の値のうち、値が大きい順序で対応する他の項目の値と送信者特定情報と共に表示が行われる。
【００７３】
こうすることにより、同じ送信者から受信したメッセージの総数、使用者によって確認されていない受信メッセージ数が送信者ごとに管理され、指定された項目の値の大きい順に、送信者特定情報ごとに受信メッセージの状況を表示することが可能となり、優先的に確認しなくてはならないメッセージがどれかを視覚的に知ることができる効果を奏する。
【図面の簡単な説明】
【図１】本発明の実施の一形態に係る回路構成を示すブロック図。
【図２】図１のＲＡＭのメモリエリア構成を示す図。
【図３】図２のＴＥＬバンクメモリエリアの構成と記憶内容とを例示する図。
【図４】図２の受信メッセージメモリエリアの構成と記憶内容とを例示する図。
【図５】同実施の形態に係る着信報知処理の内容を示すフローチャート。
【図６】同実施の形態に係る着信報知処理の内容を示すフローチャート。
【図７】同実施の形態に係るメッセージ検索処理の内容を示すフローチャート。
【図８】同実施の形態に係るメッセージ検索処理の内容を示すフローチャート。
【図９】同実施の形態に係るメッセージ検索処理時の表示画面を例示する図。
【図１０】同実施の形態に係るメッセージ検索処理時の表示画面を例示する図。
【図１１】同実施の形態に係るメッセージ検索処理時の表示画面を例示する図。
【図１２】同実施の形態に係るメッセージ検索処理時の表示画面を例示する図。
【図１３】同実施の形態に係るメッセージ検索処理時の表示画面を例示する図。
【図１４】同実施の形態に係るメッセージ検索処理時の表示画面を例示する図。
【符号の説明】
１…ページング受信機
１１…アンテナ
１２…受信部
１３…デコーダ部
１４…ＣＰＵ
１４１…タイマ
１５…デインタリーブ回路
１６…バッファメモリ
１７…ＢＣＨデコーダ
１８…表示部
１９…表示ドライバ
２０…キー入力部
２１…ＩＤ−ＲＯＭ
２２…ＲＡＭ
２３…ＲＯＭ
２４…報知ドライバ
２５…ＬＥＤ
２６…スピーカ
Ｂ…バス
ＴＢ…ＴＥＬバンクメモリエリア
ＭＭ…受信メッセージメモリエリア
【図１】
0003937552.tif 000002
【図２】
0003937552.tif 000003
【図３】
0003937552.tif 000004
【図４】
0003937552.tif 000005
【図５】
0003937552.tif 000006
【図６】
0003937552.tif 000007
【図７】
0003937552.tif 000008
【図８】
0003937552.tif 000009
【図９】
0003937552.tif 000010
【図１０】
0003937552.tif 000011
【図１１】
0003937552.tif 000012
【図１２】
0003937552.tif 000013
【図１３】
0003937552.tif 000014
【図１４】
0003937552.tif 000015